(57)【要約】【課題】  この発明は、同一の３桁チャンネル番号の放送が複数受信可能な場合を考慮したダウン選局のルールを規定し、ユーザの要求に応じたダウン選局動作を実現することを可能とした放送受信装置及び放送受信方法を提供することを目的としている。【解決手段】  同じチャンネル番号（０１１）の付された放送チャンネルが複数受信される場合、それらのチャンネル番号（０１１）に各放送チャンネル毎に異なる枝番号（０），（１），（２）を付加する放送受信装置において、放送チャンネルのダウン選局が要求された状態で、チャンネル番号の降順で、かつ、同一のチャンネル番号（０１１）については枝番号（２），（１），（０）の降順に選局動作を行なわせる。【選択図】    図４
2008236788.tif 000002
【特許請求の範囲】
【請求項１】
それぞれにチャンネル番号の付された複数の放送チャンネルを選択的に受信するとともに、同じチャンネル番号の付された放送チャンネルが複数受信される場合、それらのチャンネル番号に各放送チャンネル毎に異なる枝番号を付加する放送受信装置において、
前記放送チャンネルのダウン選局が要求された状態で、前記チャンネル番号順で、かつ、同一のチャンネル番号については前記枝番号順に選局動作を行なわせる選局制御手段を具備し、
前記選局制御手段は、
前記放送チャンネルのダウン選局が要求された状態で、前記チャンネル番号を降順に切り替え、同一チャンネル番号が複数存在する場合には、その同一チャンネル番号の中で前記枝番号を降順に切り替えるダウン選局手段を具備してなることを特徴とする放送受信装置。
【請求項２】
さらに、アンテナで受信された地上デジタル放送から所定の放送チャンネルを選局するチューナを具備してなることを特徴とする請求項１記載の放送受信装置。
【請求項３】
さらに、前記選局制御手段に前記ダウン選局の要求を出すためのリモートコントローラを具備してなることを特徴とする請求項１記載の放送受信装置。
【請求項４】
さらに、前記選局制御手段により切り替えられたチャンネルの映像信号を表示する表示手段を具備してなることを特徴とする請求項１乃至３いずれかに記載の放送受信装置。
【請求項５】
それぞれにチャンネル番号の付された複数の放送チャンネルを選択的に受信するとともに、同じチャンネル番号の付された放送チャンネルが複数受信される場合、それらのチャンネル番号に各放送チャンネル毎に異なる枝番号を付加する放送受信方法において、
前記放送チャンネルのダウン選局が要求された状態で、前記チャンネル番号を降順に切り替え、同一チャンネル番号が複数存在する場合には、その同一チャンネル番号の中で前記枝番号を降順に切り替える工程を有することを特徴とする放送受信方法。
【発明の詳細な説明】
【技術分野】
【０００１】
この発明は、特に地上デジタル放送の受信に好適する放送受信装置及び放送受信方法に関する。
【背景技術】
【０００２】
周知のように、近年では、テレビジョン放送のデジタル化が推進されている。そして、日本国内においては、ＢＳ（Broadcasting Satellite）デジタル放送及び１１０度ＣＳ（Communication Satellite）デジタル放送等の衛星デジタル放送だけでなく、地上デジタル放送も開始される運びとなっている。
【０００３】
この地上デジタル放送は、現行の地上アナログ放送の基盤を前提としているため、チャンネルのダイレクト選局のためのキーの数を１２個とする１２ポジションの概念や、日本全国を複数の地域に分割して各地域毎に放送局を設置する地域単位の概念が、その運用規程に盛り込まれている。
【０００４】
そして、各地域に存在する放送局は、番組情報とともに、自己の放送がどの地域向けの放送であるかを示す制御情報（地域識別）や、自己の放送チャンネルを１２ポジションのうちのどのポジションに割り当てるかを指定する制御情報（remote_control_key_id）等を送信している。
【０００５】
また、地上デジタル放送では、個々の放送チャンネルが３桁の数字からなるチャンネル番号で区別されている。この３桁チャンネル番号は、上記した地域単位の概念に基づいて、同一地域内で同じ３桁チャンネル番号が重複することのないように規定されている。
【０００６】
ところが、この３桁チャンネル番号は、異なる地域間においては重複することがあり得るものとなっている。このため、越境地域では、自己の居住地域の放送以外に、隣接する地域の放送も視聴できるので、同一の３桁チャンネル番号の放送が複数受信される可能性が生じる。
【０００７】
このように同一３桁チャンネル番号の放送が複数受信される場合（正確にはremote_control_key_idが重複した放送が複数受信可能な場合）、地上デジタル放送の運用規定では、受信機側の処理により、重複した３桁チャンネル番号に１桁の枝番号を自動的に割り振るようにしている。
【０００８】
この枝番号は、「０」から最大「９」まで付加することができる。この場合、ユーザの居住地域向けの放送（域内放送）に対して優先的に枝番号「０」が割り振られ、ユーザの居住地域外の放送（域外放送）に対して枝番号が「１」から順に割り振られるようになっている。
【０００９】
ここで、地上デジタル放送においては、放送チャンネルのアップダウン選局動作は、基本的に、３桁チャンネル番号を昇順または降順に順次選局していくことによって行なわれる。
【００１０】
しかしながら、上記のようにremote_control_key_idが重複した放送が複数受信可能な場合、つまり、同一の３桁チャンネル番号の放送が複数存在する場合には、単純に３桁チャンネル番号を昇順または降順に順次選局していくアップダウン選局手法を採用することができないという問題が生じる。
【００１１】
特許文献１には、受信エリアから、予め記憶した受信地域対伝送パラメータ対応表を参照することにより、初期同期を速やかに成功させ、新たな伝送パラメータを取得できるようにした構成が開示されている。
【００１２】
また、特許文献２には、受信データから選局用のテーブルを作成しておき、チャンネルのアップまたはダウンの信号を受けたＣＰＵ（Central Processing Unit）がテーブルを参照して現在表示中のチャンネルから次のチャンネルを選択するようにした構成が開示されている。
【００１３】
さらに、特許文献３には、ダイレクトでチャンネル番号が入力された場合に、入力された値と同じチャンネル番号が複数あると、それらを同時にユーザに提示して選択させるようにした構成が開示されている。
【００１４】
しかしながら、これらの特許文献１乃至３には、いずれも、上記したように、アップダウン選局において、同一の３桁チャンネル番号の放送が複数受信された場合の対策を施すことについては、何らの記載もなされていないものである。
【特許文献１】特開２００２−２１８３３９号公報
【特許文献２】特開２００１−１７７７７８号公報
【特許文献３】特開２００２−０９４８８９号公報
【発明の開示】
【発明が解決しようとする課題】
【００１５】
そこで、この発明は上記事情を考慮してなされたもので、同一の３桁チャンネル番号の放送が複数受信可能な場合を考慮したダウン選局のルールを規定し、ユーザの要求に応じたダウン選局動作を実現することを可能とした放送受信装置及び放送受信方法を提供することを目的とする。
【課題を解決するための手段】
【００１６】
この発明に係る放送受信装置は、それぞれにチャンネル番号の付された複数の放送チャンネルを選択的に受信するとともに、同じチャンネル番号の付された放送チャンネルが複数受信される場合、それらのチャンネル番号に各放送チャンネル毎に異なる枝番号を付加するものを対象としている。そして、放送チャンネルのダウン選局が要求された状態で、チャンネル番号順で、かつ、同一のチャンネル番号については枝番号順に選局動作を行なわせる選局制御手段を具備し、選局制御手段は、放送チャンネルのダウン選局が要求された状態で、チャンネル番号を降順に切り替え、同一チャンネル番号が複数存在する場合には、その同一チャンネル番号の中で枝番号を降順に切り替えるダウン選局手段を備えるようにしたものである。
【００１７】
また、この発明に係る放送受信方法は、それぞれにチャンネル番号の付された複数の放送チャンネルを選択的に受信するとともに、同じチャンネル番号の付された放送チャンネルが複数受信される場合、それらのチャンネル番号に各放送チャンネル毎に異なる枝番号を付加する方法を対象としている。そして、放送チャンネルのダウン選局が要求された状態で、チャンネル番号を降順に切り替え、同一チャンネル番号が複数存在する場合には、その同一チャンネル番号の中で枝番号を降順に切り替える工程を有するようにしたものである。
【発明の効果】
【００１８】
上記のような構成及び方法によれば、放送チャンネルのダウン選局時に、チャンネル番号の降順で、かつ、同一のチャンネル番号については枝番号の降順に選局動作を行なわせるというように、同一のチャンネル番号の放送が複数受信可能な場合を考慮したダウン選局のルールを規定し、ユーザの要求に応じたダウン選局動作を実現させることができる。
【発明を実施するための最良の形態】
【００１９】
以下、この発明の実施の形態について図面を参照して詳細に説明する。図１は、地上デジタル放送の受信に対応するデジタルテレビジョン放送受信機を示している。
【００２０】
すなわち、デジタルアンテナ１１で受信された地上デジタル放送信号は、チューナ１２に供給されて所定の伝送チャンネルが選局された後、エラー訂正回路１３に出力される。
【００２１】
このエラー訂正回路１３は、チューナ１２から出力された受信信号に復調処理を施し、エラー訂正処理を行なった後、スクランブル制御回路１４に出力している。
【００２２】
このスクランブル制御回路１４は、入力された受信信号にスクランブル処理が施されている場合、そのスクランブルを解除するデスクランブル処理を施して、多重データ分離回路１５に出力する。この場合、スクランブル制御回路１４から多重データ分離回路１５に供給されるデータは、複数のチャンネル及び番組のデータを含む多重データである。
【００２３】
この多重データ分離回路１５は、受信信号のビットストリームに含まれる識別情報ＩＤに基づいてパケットを分離している。そして、この多重データ分離回路１５は、ＳＩ（Service Information）情報の番組情報を分離すると、これらの番組情報をコントロール制御回路１６に供給するとともに、パケット毎の映像信号についてはＭＰＥＧ（Moving Picture Experts Group）映像再生回路１７に供給し、音声信号についてはＭＰＥＧ音声再生回路１８に供給する。
【００２４】
このＭＰＥＧ映像再生回路１７は、入力された映像信号が圧縮符号化されたものであるため、この圧縮符号化データにデコード処理を施し、アナログの映像信号にして出力している。
【００２５】
また、上記コントロール制御回路１６は、多重データ分離回路１５から取得したＳＩ情報に基づいて、表示に要求されるＯＳＤ信号を生成し、ＯＳＤ回路１９に出力している。
【００２６】
そして、このＯＳＤ回路１９は、ＭＰＥＧ映像再生回路１７から出力された映像信号と、コントロール制御回路１６から供給されたＯＳＤ信号とを重畳して、ＣＲＴ（Cathode Ray Tube）２０に出力し、映像表示させる。
【００２７】
また、上記ＭＰＥＧ音声再生回路１８は、入力された音声信号が圧縮符号化されたものであるため、この音声信号にデコード処理を施し、デコード処理後のアナログの音声信号を出力している。そして、このＭＰＥＧ音声再生回路１８から出力される音声信号は、スピーカ２１に導かれて音声再生される。
【００２８】
ここで、このデジタルテレビジョン放送受信機は、その全ての動作を、コントロール制御回路１６によって統括的に制御されている。このコントロール制御回路１６は、図示しないＣＰＵ（Central Processing Unit）を内蔵しており、リモートコントローラ２２から送出される操作情報を受信し、その操作内容が反映されるように、各回路部をそれぞれ制御している。
【００２９】
図２は、上記リモートコントローラ２２の外観を示している。このリモートコントローラ２２には、１２ポジション対応キー群２３が設置されている。この１２ポジション対応キー群２３は、１〜１２の番号が付された１２個のチャンネル選局キーで構成されており、ユーザが、所望の放送チャンネルをダイレクトに選局できるようになっている。
【００３０】
また、このリモートコントローラ２２には、アップダウン選局キー２４が設置されており、後述する各種の形態でアップダウン選局動作を実現することができるようになっている。
【００３１】
図３は、上記ＳＩ情報の中のサービス識別情報（１６ビット）を示している。このサービス識別情報は、６ビットの地域識別情報、１ビットの県複フラグ、２ビットのサービス種別情報、４ビットの地域事業者識別情報及び３ビットのサービス番号とから構成されている。
【００３２】
このうち、地域識別情報は、県域放送であるか広域放送であるかを指定する情報である。県複フラグは、県複放送局がある場合「１」となる。サービス種別情報は、「０」テレビ型、「１」／「２」データ型（部分受信サービスを除く）、「３」データ型（部分受信サービス）である。なお、部分受信サービスとは、携帯型受信機向けのデータ放送サービスである。地域事業者識別情報は、地域識別毎に定義される放送事業者の識別情報である。サービス番号は、０〜７を放送事業者毎に指定が可能である。
【００３３】
そして、３桁チャンネル番号は、サービス種別情報とremote_control_key_idとサービス番号とから算出される。すなわち、
３桁チャンネル番号
＝（サービス種別×２００）＋（remote_control_key_id×１０）
＋（サービス番号＋１）
となる。
【００３４】
ここで、ユーザがデジタルテレビジョン放送受信機に居住地域を設定すると、コントロール制御回路１６は、地上デジタル放送が行なわれている物理チャンネルを順次スキャンし、同じ３桁チャンネル番号を有する複数の放送局も含んだ、受信可能な地上デジタル放送の受信放送局テーブルを作成する。そして、放送チャンネルのアップダウン選局動作は、この受信放送局テーブルを参照して行なわれる。
【００３５】
図４は、デジタルテレビジョン放送受信機の地域識別が２４の場合の受信放送局テーブルの一例を示している。すなわち、この受信放送局テーブルは、放送局名と、地域識別と、remote_control_key_idと、サービス種別と、枝番号を含んだ３桁チャンネル番号とを対応させたリストである。
【００３６】
以下、図４に示す受信放送局テーブルを参照した、種々の形態のアップダウン選局動作について説明する。まず、第１の形態のアップダウン選局動作は、３桁チャンネル番号順で、かつ、同一３桁チャンネル番号については枝番号順のアップダウン選局動作である。
【００３７】
これは、例えば、枝番号を含む３桁チャンネル番号が０１１（０）からアップ選局を行なった場合、まず、同一３桁チャンネル番号０１１のうち枝番号の昇順に０１１（１）、０１１（２）と選局される。その後、次の昇順の３桁チャンネル番号０１２について、枝番号の昇順に０１２（０）、０１２（１）、０１２（２）と選局される。
【００３８】
なお、ダウン選局については、上記と逆の動作となる。すなわち、枝番号を含む３桁チャンネル番号が０１２（２）からダウン選局を行なった場合、まず、同一３桁チャンネル番号０１２のうち枝番号の降順に０１２（１）、０１２（０）と選局される。その後、次の降順の３桁チャンネル番号０１１について、枝番号の降順に０１１（２）、０１１（１）、０１１（０）と選局される。
【００３９】
このように、３桁チャンネル番号順で、かつ、同一３桁チャンネル番号については枝番号順にアップダウン選局動作を行なうルールを規定することにより、同一の３桁チャンネル番号の放送が複数受信可能な場合でも、効率的なアップダウン選局を行なうことが可能となる。
【００４０】
次に、第２の形態のアップダウン選局動作について説明する。この第２の形態のアップダウン選局動作は、まず、remote_control_key_id順で、かつ、同一remote_control_key_idについては枝番号順で、かつ、同一の枝番号については３桁チャンネル番号順のアップダウン選局動作である。
【００４１】
例えば、枝番号を含む３桁チャンネル番号が０１１（０）からアップ選局を行なった場合、まず、同一放送局内、つまり、remote_control_key_idが「１」の中で枝番号が（０）のものについて、３桁チャンネル番号の昇順に０１２（０）、０１３（０）と選局される。
【００４２】
その後、同じremote_control_key_id「１」の中で、次の昇順の枝番号（１）のものについて、３桁チャンネル番号の昇順に０１１（１）、０１２（１）、０１３（１）と選局され、さらに、同じremote_control_key_id「１」の中で、次の昇順の枝番号（２）のものについて、３桁チャンネル番号の昇順に０１１（２）、０１２（２）、０１３（２）と選局される。
【００４３】
この０１３（２）の後は、同じremote_control_key_id「１」が存在しないため、次の昇順のremote_control_key_id「２」の中で最小の枝番号（０）のものについて、３桁チャンネル番号の昇順に０２１（０）、０２２（０）と選局される。
【００４４】
なお、ダウン選局については、上記と逆の動作となる。すなわち、枝番号を含む３桁チャンネル番号が０２２（０）からダウン選局を行なった場合、まず、同じremote_control_key_id「２」の中で枝番号が（０）のものについて、３桁チャンネル番号の降順に０２１（０）が選局される。
【００４５】
その後、同じremote_control_key_id「２」が存在しないため、次の降順のremote_control_key_id「１」の中で最大の枝番号（２）のものについて、３桁チャンネル番号の降順に０１３（２）、０１２（２）、０１１（２）と選局される。さらに、同じremote_control_key_id「１」の中で、次の降順の枝番号（１）のものについて、３桁チャンネル番号の降順に０１３（１）、０１２（１）、０１１（１）と選局される。その後、同じremote_control_key_id「１」の中で、次の降順の枝番号（０）のものについて、３桁チャンネル番号の降順に０１３（０）、０１２（０）、０１１（０）と選局される。
【００４６】
このように、remote_control_key_id順で、かつ、同一remote_control_key_idについては枝番号順で、かつ、同一の枝番号については３桁チャンネル番号順にアップダウン選局動作を行なうルールを規定することにより、同一の３桁チャンネル番号の放送が複数受信可能な場合でも、効率的なアップダウン選局を行なうことが可能となる。
【００４７】
次に、第３の形態のアップダウン選局動作について説明する。この第３の形態のアップダウン選局動作は、まず、サービス種別順で、かつ、同一サービス種別についてはremote_control_key_id順で、かつ、同一remote_control_key_idについては枝番号順で、かつ、同一の枝番号については３桁チャンネル番号順のアップダウン選局動作である。
【００４８】
例えば、枝番号を含む３桁チャンネル番号が０３１（０）からアップ選局を行なった場合、まず、０３１（０）が属するサービス種別「０」の中で、remote_control_key_idが「３」のものが他に存在しないため、同じサービス種別「０」の中で、次の昇順のremote_control_key_id「４」が選択される。そして、このremote_control_key_id「４」の中で、最小の枝番号（０）のものについて、３桁チャンネル番号の昇順に０４１（０）が選局される。
【００４９】
その後、サービス種別「０」の中でremote_control_key_id「４」は最大であることから、次の昇順のサービス種別「１」に移り、このサービス種別「１」の中で、最小remote_control_key_id「３」が選択される。そして、このremote_control_key_id「３」の中で、最小の枝番号（０）のものについて、３桁チャンネル番号の昇順に２１１（０）が選局される。
【００５０】
以後、２１１（０）が属するサービス種別「１」の中で、remote_control_key_idが「３」以上のものが他に存在しないため、次の昇順のサービス種別「２」の中で、最小のremote_control_key_id「３」が選択される。そして、このremote_control_key_id「３」の中で、最小の枝番号（０）のものについて、３桁チャンネル番号の昇順に４１１（０）が選局される。
【００５１】
なお、ダウン選局については、上記と逆の動作となる。すなわち、枝番号を含む３桁チャンネル番号が４１１（０）からダウン選局を行なった場合、まず、４１１（０）が属するサービス種別「２」の中で、remote_control_key_idが「３」以下のものが他に存在しないため、次の降順のサービス種別「１」の中で、最大のremote_control_key_id「３」が選択される。そして、このremote_control_key_id「３」の中で、最大の枝番号（０）のものについて、３桁チャンネル番号の降順に２１１（０）が選局される。
【００５２】
その後、サービス種別「１」の中で、remote_control_key_idが「３」以下のものが他に存在しないため、次の降順のサービス種別「０」の中で、最大のremote_control_key_id「４」が選択される。そして、このremote_control_key_id「４」の中で、最大の枝番号（０）のものについて、３桁チャンネル番号の降順に０４１（０）が選局される。
【００５３】
以後、サービス種別「０」の中で、remote_control_key_id「４」が他に存在しないため、次の降順のremote_control_key_id「３」が選択される。そして、このremote_control_key_id「３」の中で、最大の枝番号（０）のものについて、３桁チャンネル番号の降順に０３１（０）が選局される。
【００５４】
このように、サービス種別順で、かつ、同一サービス識別についてはremote_control_key_id順で、かつ、同一remote_control_key_idについては枝番号順で、かつ、同一の枝番号については３桁チャンネル番号順にアップダウン選局動作を行なうルールを規定することにより、同一の３桁チャンネル番号の放送が複数受信可能な場合でも、効率的なアップダウン選局を行なうことが可能となる。
【００５５】
次に、第４の形態のアップダウン選局動作について説明する。この第４の形態のアップダウン選局動作は、まず、枝番号順で、かつ、同一の枝番号については３桁チャンネル番号順のアップダウン選局動作である。
【００５６】
例えば、枝番号を含む３桁チャンネル番号が０１１（０）からアップ選局を行なった場合、まず、枝番号（０）のものから３桁チャンネル番号の昇順に０１２（０）、０１３（０）、……、２１１（０）、４１１（０）と選局される。
【００５７】
その後、枝番号（０）の３桁チャンネル番号が最大になると、次の昇順の枝番号（１）のものから３桁チャンネル番号の昇順に０１１（１）、０１２（１）、０１３（１）と選局される。さらに、枝番号（１）の３桁チャンネル番号が最大になると、次の昇順の枝番号（２）のものから３桁チャンネル番号の昇順に０１１（２）、０１２（２）、０１３（２）と選局される。
【００５８】
なお、ダウン選局については、上記と逆の動作となる。すなわち、枝番号を含む３桁チャンネル番号が０１３（２）からダウン選局を行なった場合、まず、枝番号（２）のものから３桁チャンネル番号の降順に０１２（２）、０１１（２）と選局される。
【００５９】
その後、枝番号（２）の３桁チャンネル番号が最小になると、次の降順の枝番号（１）のものから３桁チャンネル番号の降順に０１３（１）、０１２（１）、０１１（１）と選局される。さらに、枝番号（１）の３桁チャンネル番号が最大になると、次の降順の枝番号（０）のものから３桁チャンネル番号の降順に４１１（０）、２１１（０）、……、０１２（０）、０１１（０）と選局される。
【００６０】
このように、枝番号順で、かつ、同一の枝番号については３桁チャンネル番号順にアップダウン選局動作を行なうルールを規定することにより、同一の３桁チャンネル番号の放送が複数受信可能な場合でも、効率的なアップダウン選局を行なうことが可能となる。
【００６１】
次に、第５の形態のアップダウン選局動作について説明する。この第５の形態のアップダウン選局動作は、まず、枝番号順で、かつ、同一の枝番号についてはremote_control_key_id順で、同一のremote_control_key_idについては３桁チャンネル番号順のアップダウン選局動作である。
【００６２】
例えば、枝番号を含む３桁チャンネル番号が０１１（０）からアップ選局を行なった場合、まず、枝番号が（０）のものの中で最小のremote_control_key_id「１」が選択される。そして、このremote_control_key_id「１」の中で３桁チャンネル番号の昇順に０１２（０）、０１３（０）が選局される。
【００６３】
そして、３桁チャンネル番号が最大になると、同じ枝番号（０）の中で次の昇順のremote_control_key_id「２」が選択され、このremote_control_key_id「２」の中で３桁チャンネル番号の昇順に０２１（０）、０２２（０）が選局される。
【００６４】
このようにして、３桁チャンネル番号が最大になると、同じ枝番号（０）の中で次の昇順のremote_control_key_id「３」が選択され、このremote_control_key_id「３」の中で３桁チャンネル番号の昇順に０３１（０）、２１１（０）、４１１（０）が選局される。
【００６５】
さらに、３桁チャンネル番号が最大になると、同じ枝番号（０）の中で次の昇順のremote_control_key_id「４」が選択され、このremote_control_key_id「４」の中で３桁チャンネル番号の昇順に０４１（０）が選局される。
【００６６】
すると、枝番号（０）が終了するので、次の昇順の枝番号（１）の中で最小のremote_control_key_id「１」が選択される。そして、このremote_control_key_id「１」の中で３桁チャンネル番号の昇順に０１１（１）、０１２（１）、０１３（１）と選局される。
【００６７】
なお、ダウン選局については、上記と逆の動作となる。すなわち、枝番号を含む３桁チャンネル番号が０１３（１）からダウン選局を行なった場合、まず、枝番号が（１）のものの中で最大のremote_control_key_id「１」が選択される。そして、このremote_control_key_id「１」の中で３桁チャンネル番号の降順に０１２（１）、０１１（１）が選局される。
【００６８】
このようにして、３桁チャンネル番号が最小になると、枝番号（１）が終了するので、次の降順の枝番号（０）が選択される。そして、この枝番号（０）の中で最大のremote_control_key_id「４」が選択され、このremote_control_key_id「４」の中で３桁チャンネル番号の昇順に０４１（０）が選局される。
【００６９】
その後、３桁チャンネル番号が最小になると、同じ枝番号（０）の中で次の降順のremote_control_key_id「３」が選択され、このremote_control_key_id「３」の中で３桁チャンネル番号の降順に４１１（０）、２１１（０）、０３１（０）が選局される。
【００７０】
さらに、３桁チャンネル番号が最小になると、同じ枝番号（０）の中で次の降順のremote_control_key_id「２」が選択され、このremote_control_key_id「２」の中で３桁チャンネル番号の降順に０２２（０）、０２１（０）が選局される。
【００７１】
その後、３桁チャンネル番号が最小になると、同じ枝番号（０）の中で次の降順のremote_control_key_id「１」が選択される。そして、このremote_control_key_id「１」の中で３桁チャンネル番号の降順に０１３（０）、０１２（０）、０１１（０）が選局される。
【００７２】
このように、枝番号順で、かつ、同一の枝番号についてはremote_control_key_id順で、同一のremote_control_key_idについては３桁チャンネル番号順にアップダウン選局動作を行なうルールを規定することにより、同一の３桁チャンネル番号の放送が複数受信可能な場合でも、効率的なアップダウン選局を行なうことが可能となる。
【００７３】
上記した５つの形態のアップダウン選局動作は、受信チャンネルの切り替え順として説明したが、例えば、ＧＵＩ（Graphical User Interface）による受信チャンネルの一覧表示を行なう場合に、上記した５つの形態のアップダウン選局順で表示を行なうことも可能である。
【００７４】
また、上記した５つの形態のアップダウン選局動作は、ユーザがリモートコントローラ２２を操作することにより、選択的に設定することができるようにすることも可能である。
【００７５】
なお、この発明は上記した実施の形態そのままに限定されるものではなく、実施段階ではその要旨を逸脱しない範囲で構成要素を種々変形して具体化することができる。
【００７６】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７７】
【図１】この発明の実施の形態を示すもので、デジタルテレビジョン放送受信機の信号処理系を説明するために示すブロック構成図。
【図２】同デジタルテレビジョン放送受信機におけるリモートコントローラの外観を説明するために示す図。
【図３】同実施の形態におけるデジタルテレビジョン放送に含まれるＳＩ情報の中のサービス識別情報を説明するために示す図。
【図４】同デジタルテレビジョン放送受信機がチャンネルスキャンによって作成した受信放送局テーブルの一例を説明するために示す図。
【符号の説明】
【００７８】
１１…デジタルアンテナ、１２…チューナ、１３…エラー訂正回路、１４…スクランブル制御回路、１５…多重データ分離回路、１６…コントロール制御回路、１７…ＭＰＥＧ映像再生回路、１８…ＭＰＥＧ音声再生回路、１９…ＯＳＤ回路、２０…ＣＲＴ、２１…スピーカ、２２…リモートコントローラ、２３…１２ポジション対応キー群、２４…アップダウン選局キー。
【図１】
2008236788.tif 000003
【図２】
2008236788.tif 000004
【図３】
2008236788.tif 000005
【図４】
2008236788.tif 000006